(57)【要約】【課題】  衣料品が吊り下げられたハンガーを引っ掛けて陳列するための吊り棒に引っ掛けて用いられる表示部材であって、吊り棒に容易に着脱でき且つ取付位置を容易に変更できるようにした表示部材である。【解決手段】  衣料用ハンガー２が引っ掛けられる吊り棒３の長手方向に直交する方向から該吊り棒３に引っ掛けられる表示部材１であって、  前記吊り棒３が挿入されて前記吊り棒３に引っ掛けられるフック部４と、該フック部４から横方向へ延設された表示部５と、該フック部４から下方へ延設されたバランス部６とを備え、  前記フック部４が前記吊り棒３に引っ掛けられた状態で前記バランス部６が前記フック部４の下方に位置することで前記表示部５が前記衣料用ハンガー２に吊り下げられた衣料Ｂよりも上位に押し上げられるように前記表示部５と前記バランス部６との重量バランスが調節されていることを特徴とする。【選択図】  図２
2010107836.tif 000002
【特許請求の範囲】
【請求項１】
店舗内において衣料用ハンガーが引っ掛けられる吊り棒の長手方向に直交する方向から該吊り棒に引っ掛けられる表示部材であって、
前記吊り棒が挿入されて前記吊り棒に引っ掛けられるフック部と、該フック部から横方向へ延設された表示部と、該フック部から下方へ延設されたバランス部とを備え、
前記フック部が前記吊り棒に引っ掛けられた状態で前記バランス部が前記フック部の下方に位置することで前記表示部が前記衣料用ハンガーに吊り下げられた衣料よりも上位に押し上げられるように前記表示部と前記バランス部との重量バランスが調節されていることを特徴とする表示部材。
【請求項２】
前記表示部が前記フック部よりも上位に押し上げられるように前記表示部と前記バランス部との重量バランスが調節されていることを特徴とする請求項１に記載の表示部材。
【請求項３】
フック部は吊り棒が挿入される挿入口を有し、該挿入口の縁には、吊り棒からのフック部の外れを防止する外れ防止部が設けられていることを特徴とする請求項１又は請求項２に記載の表示部材。
【請求項４】
前記フック部の内面が、曲率半径の大きな大径円弧面と該大径円弧面の上側に位置し且つ曲率半径の小さな小径円弧面とで構成され、
該大径円弧面には内側へ突出する突部がフック部に挿入された吊り棒の長手方向に沿って設けられ、当該突部は、前記フック部に挿入された大径の吊り棒の中心を通る垂線を中心として左右線対称の位置に設けられて当該突部が大径の吊り棒に引っ掛けられた表示部材に線接触することで大径の吊り棒に引っ掛けられた表示部材の横ぶれが防止され、
前記小径円弧面には内側へ突出する突部が吊り棒の長手方向に沿って設けられ、当該突部は、前記フック部に挿入された小径の吊り棒の中心を通る垂線を中心として左右線対称の位置に設けられて当該突部が小径の吊り棒に線接触することで小径の吊り棒に引っ掛けられた表示部材の横ぶれが防止されることを特徴とする請求項１乃至３の何れか１項に記載の表示部材。
【請求項５】
バランス部はフック部を中心にして表示部とは反対側に設けられており、かつ、フック部、表示部、及びバランス部は板状に形成されたことを特徴とする請求項１乃至４の何れか１項に記載の表示部材。
【請求項６】
外れ防止部はフック部の挿入口から斜め下方へ向けて延設されており、該外れ防止部と対面するバランス部の側面はフック部の挿入口から斜め下方へ向けて突状に湾曲した案内面となり、該外れ防止部と該案内面との間は、吊り棒を前記フック部へ向けて案内する案内路になっていることを特徴とする請求項３乃至５の何れか１項に記載の表示部材。
【請求項７】
バランス部は、下部より上部が軽量になっていることを特徴とする請求項１乃至６の何れか１項に記載の表示部材。
【請求項８】
バランス部は、フック部の上部に切欠きが形成されることで、該バランス部は下部より上部が軽量になっていることを特徴とする請求項７に記載の表示部材。
【請求項９】
バランス部は、上部から下部へ向けて徐々に幅広に形成されることで、該バランス部は下部より上部が軽量になっていることを特徴とする請求項７又は８に記載の表示部材。
【発明の詳細な説明】
【技術分野】
【０００１】
本発明は、衣料品が吊り下げられたハンガーを店舗内において引っ掛けて陳列するための吊り棒に引っ掛けて用いられる表示部材に関する。
【背景技術】
【０００２】
図８は特許文献１に記載の表示部材を示す。当該表示部材１００は、スーパーマーケットやデパート等の商品陳列棚のバー部材等に取り付けて商品の案内等を行う表示部材である。当該表示部材１００は、図８に示すように、支持台１０１と、支柱１０２と、ポップ支持部材１０３とを備え、支持台１０１が締め付けボルト１０４で、バー部材１０５に締め付けられて固定される構造である。
【発明の開示】
【発明が解決しようとする課題】
【０００３】
前述のように、前記表示部材１００は、締め付けボルト１０４で支持台１０１をバー部材１０５に締め付けるようにして取り付けられる構造であるために、表示部材１００を移動させる場合には、締め付けボルト１０４を一旦緩めた後に表示部材１００を所定位置まで移動させ、その後、再び、締め付けボルト１０４を締め付けることで表示部材１００の位置決めを行っていた。このために、表示部材１００を移動させる必要が生じた場合には、締め付けボルト１０４を緩めたり、締め付けるための作業が繁雑、面倒であって人件費が大きくなるだけでなく、頻繁に、表示部材１００を移動させる必要が生じる場合には、締め付けボルト１０４を緩めたり、締め付けるための作業を頻繁に行わなければならず、一層、繁雑、面倒であった。又、締め付けボルト１０４によって商品が傷付く虞もあった。
【０００４】
本発明は、前記背景技術の問題点に鑑みてなされたもので、その目的は、衣料品が吊り下げられたハンガーを引っ掛けて陳列するための吊り棒に引っ掛けて用いられる表示部材であって、吊り棒に容易に着脱できる上に、取付位置を容易に変更できるようにした表示部材を提供することにある。
【課題を解決するための手段】
【０００５】
請求項１に記載の発明は、店舗内において衣料用ハンガーが引っ掛けられる吊り棒の長手方向に直交する方向から該吊り棒に引っ掛けられる表示部材であって、
前記吊り棒が挿入されて前記吊り棒に引っ掛けられるフック部と、該フック部から横方向へ延設された表示部と、該フック部から下方へ延設されたバランス部とを備え、
前記フック部が前記吊り棒に引っ掛けられた状態で前記バランス部が前記フック部の下方に位置することで前記表示部が前記衣料用ハンガーに吊り下げられた衣料よりも上位に押し上げられるように前記表示部と前記バランス部との重量バランスが調節されていることを特徴とするものである。
【０００６】
請求項２に記載の発明は、前記表示部が前記フック部よりも上位に押し上げられるように前記表示部と前記バランス部との重量バランスが調節されていることを特徴とする請求項１に記載の表示部材。
【０００７】
請求項３に記載の発明は、フック部は吊り棒が挿入される挿入口を有し、該挿入口の縁には、吊り棒からのフック部の外れを防止する外れ防止部が設けられていることを特徴とする請求項１又は請求項２に記載の表示部材。
【０００８】
請求項４に記載の発明は、請求項１乃至３の何れか１項に記載の発明において、前記フック部の内面が、曲率半径の大きな大径円弧面と該大径円弧面の上側に位置し且つ曲率半径の小さな小径円弧面とで構成され、
該大径円弧面には内側へ突出する突部がフック部に挿入された吊り棒の長手方向に沿って設けられ、当該突部は、前記フック部に挿入された大径の吊り棒の中心を通る垂線を中心として左右線対称の位置に設けられて当該突部が大径の吊り棒に引っ掛けられた表示部材に線接触することで大径の吊り棒に引っ掛けられた表示部材の横ぶれが防止され、
前記小径円弧面には内側へ突出する突部が吊り棒の長手方向に沿って設けられ、当該突部は、前記フック部に挿入された小径の吊り棒の中心を通る垂線を中心として左右線対称の位置に設けられて当該突部が小径の吊り棒に線接触することで小径の吊り棒に引っ掛けられた表示部材の横ぶれが防止されることを特徴とするものである。
請
【０００９】
請求項５に記載の発明は、請求項１乃至４の何れか１項に記載の発明において、バランス部はフック部を中心にして表示部とは反対側に設けられており、かつ、フック部、表示部、及びバランス部は板状に形成されたことを特徴とするものである。
【００１０】
請求項６に記載の発明は、請求項３乃至５の何れか１項に記載の発明において、外れ防止部はフック部の挿入口から斜め下方へ向けて延設されており、該外れ防止部と対面するバランス部の側面はフック部の挿入口から斜め下方へ向けて突状に湾曲した案内面となり、該外れ防止部と該案内面との間は、吊り棒を前記フック部へ向けて案内する案内路になっていることを特徴とするものである。
【００１１】
請求項７に記載の発明は、請求項１乃至６の何れか１項に記載の発明において、バランス部は、下部より上部が軽量になっていることを特徴とするものである。
【００１２】
請求項８に記載の発明は、請求項７に記載の発明において、バランス部は、フック部の上部に切欠きが形成されることで、該バランス部は下部より上部が軽量になっていることを特徴とするものである。
【００１３】
請求項９に記載の発明は、請求項７に記載の発明において、バランス部は、上部から下部へ向けて徐々に幅広に形成されることで、該バランス部は下部より上部が軽量になっていることを特徴とするものである。
【発明の効果】
【００１４】
請求項１に記載の発明によれば、表示部材の表示部が、衣料用ハンガーに吊り下げられた衣料よりも上位に押し上げられるために、表示部が衣料の陰に隠れることがなく、顧客は表示部の内容を目視することができる。
【００１５】
請求項２に記載の発明によれば、表示部材の表示部が、表示部のフック部よりも上位に押し上げられるために、表示部が衣料の陰に隠れることがなく、顧客は表示部の内容を目視することができる。
【００１６】
請求項３に記載の発明によれば、吊り棒が挿入されるフック部の挿入口の縁には外れ防止部が設けられているために、フック部が吊り棒から不用意に外れるこがなく、表示部材が吊り棒から不用意に抜け落ちることがない。
【００１７】
請求項４に記載の発明によれば、吊り棒の径が大径の場合には、表示部材の大径円弧面に形成された一対の突部が大径の吊り棒の表面に線接触し、吊り棒の径が小径の場合には、表示部材の小径円弧面に形成された一対の突部が小径の吊り棒の表面に線接触することで、大径又は小径の吊り棒に引っ掛けられた表示部材が横ぶれすることなく、安定感良く、吊り棒に引っ掛けられた状態が維持される。
【００１８】
請求項５に記載の発明によれば、フック部を中心にして、表示部とバランス部とのバランスが調節されて、表示部材の良好な姿勢が保たれる。
【００１９】
請求項６に記載の発明によれば、吊り棒は、表示部材の案内路を挿通させるようにして、フック部へ導かれることができるために、表示部材を容易に吊り棒に吊り下げることができる。
【００２０】
請求項７に記載の発明によれば、バランス部自体は上部よりも下部が重く形成されているために、バランス部で大きなモーメントを発生させることができて、表示部材の姿勢を安定させることができる。
【００２１】
請求項８に記載の発明によれば、バランス部の上部に切欠きを設けることで、バランス部の下部の重量を上部と比較して相対的に重くすることができる。
【００２２】
請求項９に記載の発明によれば、バランス部を上部から下部へ向けて徐々に広幅にすることで、バランス部の下部の重量を上部と比較して相対的に重くすることができる。
【発明を実施するための最良の形態】
【００２３】
本発明に係る表示部材１は、図１に示すように、店舗内において、衣料用ハンガー２が引っ掛けられる吊り棒３の長手方向に対して直交する方向（Ａ方向）から該吊り棒３に引っ掛けて吊り下げられる表示部材である。
【００２４】
図２に示すように、表示部材１は、フック部４と、表示部５と、下方へ延びるバランス部６とを備え、表示部５は広幅の取付部７によってフック部４とバランス部６に強固に連設されている。
【００２５】
フック部４は、前記吊り棒３が挿入されて前記吊り棒３に引っ掛けられる部位である。前記表示部５は前記フック部４の横側に設けられて広告又は商品の内容等が表示される部位である。前記表示部５と前記バランス部６は前記フック部４を中心にして互いに反対側に設けられており、表示部材１が吊り棒３に引っ掛けられた状態において、前記表示部５と前記バランス部６は互いに釣り合いの位置になるように重量バランスが調節されている。
【００２６】
ここで、前記釣り合いの位置とは、図３に示すように、フック部４が吊り棒３に引っ掛けられた状態において、表示部５の上部又は全部がフック部４よりも上位に押し上げられるように前記表示部５と前記バランス部６とがバランス調節された状態である。又、当該釣り合いの位置とは、図３に示すように、吊り棒３に引っ掛けられたハンガー２に吊り下げられた衣料Ｂよりも表示部５が上位になるように前記表示部５と前記バランス部６とがバランス調節された状態も該当する。
【００２７】
次に、当該表示部材１の具体的形態について説明する。表示部材１は、樹脂で板状に一体成形されることができる。
【００２８】
図４に示すように、前記フック部４は、吊り棒３を収容するようにして該吊り棒３に引っ掛けられるように湾曲した形態であって、吊り棒３を挿入するための挿入口Ｓを有した形態である。フック部４は吊り棒３を挿入できる形態であれば、表示部材１を吊り棒３に引っ掛けて吊り下げることができる。該フック部４の内面は曲率半径の大きな大径円弧面７と、曲率半径の小さな小径円弧面８とで構成されることができ、小径円弧面８が大径円弧面７よりも上側に設けられる。
【００２９】
そして、図５に示すように、フック部４の内面には、二対の突部９ａ、９ａ，９ｂ、９ｂを設けることができる。これら二対の突部９ａ、９ａ，９ｂ、９ｂは、フック部４の内側へ向けて突出し、且つ、図５に示すように、フック部４が引っ掛けられた吊り棒３の長手方向へ向けて設けられる。図４に示すように、これら二対の突部９ａ、９ａ，９ｂ、９ｂは、フック部４が引っ掛けられた吊り棒３の軸心を通る垂線Ｌを中心にして左右線対称の位置（使用時におけるほぼ水平位置）に設けられる。又、一方の突部９ａ、９ａは、前記フック部４の大径円弧面７に設けられ、他方の突部９ｂ、９ｂは前記フック部４の小径円弧面８に設けられる。
【００３０】
図５に示すように、前記突部９ａ、９ａが大径円弧面７に設けられると共に吊り棒３の長手方向へ沿って設けられることで、図４中、一点鎖線で示すように、フック部４に大径の吊り棒３を挿入した状態でこの突部９ａ、９ａが吊り棒３の表面に線接触することができるために、表示部材１を吊り棒３に吊り下げた状態において、図６中、一点鎖線で示すように、表示部材１が吊り棒３の長手方向に対して横ぶれすることなく、表示部材１を吊り棒３に安定感良く吊り下げることができる。図６は、表示部材１を吊り棒３に吊り下げた状態を上方から観た状態を示す。
【００３１】
一方、図５に示すように、前記突部９ｂ、９ｂが小円弧面８に設けられると共に吊り棒３の長手方向へ沿って設けられることで、図４中、二点鎖線で示すように、フック部４に小径の吊り棒３を挿入した状態でこの突部９ｂ、９ｂが吊り棒３の表面に線接触することができるために、表示部材１を吊り棒３に吊り下げた状態において、図６中、一点鎖線で示すように、表示部材１が吊り棒３に対して横ぶれすることなく、表示部材１を吊り棒３に安定感良く吊り下げることができる。
【００３２】
又、図に示すように、前記フック部４の表裏両面には外周及び内周に沿ってリブ１０が立設され、フック部４は、リブ１０によって囲まれることで曲げ変形に対して補強されている。
【００３３】
前記フック部４には、フック部４に収容された吊り棒３が該フック部４から外れる事態を防止するための外れ防止部１１が設けられている。該外れ防止部１１は、フック部４の挿入口Ｓの上端から斜め下方へ向けて延設されている。該外れ防止部１１は前記フック部４と同様にリブ１０によって囲まれることで曲げ変形に対して補強されている。
【００３４】
前記表示部５は広告等を表示する部位である。該表示部５は、図３に示すように、フック部４の略真横から該フック部４よりも上方へ向けて形成される。該表示部５の形態として、例えば、枠１２で囲まれた額縁状に形成し、図７に示すように、枠１２で広告用パネルＰ等を適宜自由に交換して支持するようにすることができる。
【００３５】
前記バランス部６は、前記フック部４の挿入口Ｓの下端から下方へ向けて設けられている。バランス部６は、前記フック部４を囲むリブ１０に連設されたリブ１３等の縦方向や横方向のリブが立設されることで、曲げ変形に対して補強されている。前記フック部４の外れ防止部１１と対面する該バランス部６の側面は突状に湾曲した案内面１４となり、該案内面１４と外れ防止部１１との間は、吊り棒３を前記フック部４へ向けて案内する案内路１５になっている。該バランス部６は、斜め下方へ向けて上部から下部へ向けて徐々に重くなるように形成されている。即ち、該バランス部６は上部から下部へ向けて徐々に重くなるように上部から下部へ向けて徐々に幅広く形成されたり、上部に切欠き１６が形成されて上部を軽量化させることで相対的に下部を重くすることができる。又、バランス部６の下部の厚さを上部よりも厚くすることで、下部の重量を上部の重量よりも重くすることができる。
【００３６】
又、前記外れ防止部１１の先端部はバランス部６との間に形成される案内路１５の入り口を若干拡開するように湾曲して形成されている。
【００３７】
次に作用について説明する。図１に示すように、衣料用ハンガー２を吊り下げるための吊り棒３が通路Ｔに平行に設けられ、該吊り棒３の長手方向に直交する向きに衣料Ｂが吊り下げられている場合に、吊り棒３の長手方向に直交する方向（図１中、Ａ方向）から、当該吊り棒３に表示部材１を引っ掛ける場合について説明する。
【００３８】
先ず、事前に、図７に示すように、表示部５に広告パネルＰ等を取付ける。次に、吊り棒３の任意の位置を選択し、その位置において、表示部材１の案内路１５の先端から吊り棒３を挿入した後、該吊り棒３を該案内路１５を挿通させるようにしてフック部４に導くことによって、図２に示すように、表示部材１を吊り棒３に引っ掛ける。ここで、吊り棒３の径が大径の場合には、図４中、一点鎖線で示すように、表示部材１の突部９ａ、９ａが吊り棒３の表面に線接触するために、図６中、一点鎖線で示すように、表示部材１が吊り棒３に対して横ぶれする現象が規制されることで、表示部材１は吊り棒３に安定的に引っ掛けられる。
【００３９】
一方、表示部材１の引っ掛けられた吊り棒３が小径の場合には、図４中、一点鎖線で示すように、表示部材１の突部９ｂ、９ｂが吊り棒３の表面に線接触するために、図６中、一転鎖線で示すように、表示部材１が吊り棒３に対して横ぶれする現象が規制されることで、表示部材１は吊り棒３に安定的に引っ掛けられる。
【００４０】
以上のように、表示部材１は、大径の吊り棒３から小径の吊り棒３まで径の異なる種々の吊り棒３に引っ掛けることができる。
【００４１】
この状態において、図３に示すように、表示部材１の表示部５は、フック部４よりも上位に位置し、又、ハンガー２に吊り下げられた衣料Ａよりも上位に位置しているために、表示部５は衣料Ｂに隠れることなく、顧客が表示部５を目視することができる。
【００４２】
特に、図１に示すように、吊り棒３が、通路Ｔの脇に該通路Ｔと平行に配置されている場合には、顧客は、通路Ｔを歩きながら、進行方向の斜め前方に表示部材１を目視することができ、商品の宣伝、広告及び所在を顧客に明示することができる。
【００４３】
そして、吊り棒３に吊り下げられた衣料用ハンガー２を取り外す等の必要が生じた場合、顧客、店舗作業者の手、又は衣料等が表示部材１に当たる等して、該表示部材１が大きく揺れたとしても、吊り棒３が外れ防止部１１に当たることになるために、フック部４が吊り棒３から外れることなく、表示部材１が不用意に吊り棒３から抜け落ちることがない。
【００４４】
又、表示部材１の位置を移動させる必要が生じた場合には、作業者が表示部材１の案内路１５を吊り棒３を通過させるようにして、表示部材１を吊り棒３から外した後、作業者が表示部材１を所有して任意の位置まで移動させ、その位置で表示部材１の案内路１５を吊り棒３を挿通させるようにして、表示部材１を吊り棒３に吊り下げる。
【００４５】
又、表示部材１を吊り棒３に吊り下げた状態のまま、横方向へずらせるようにして、表示部材１を任意の位置まで容易に移動させることも可能である。
【００４６】
尚、以上の説明においては、フック部４に二対の突部９ａ、９ａ，９ｂ、９ｂを設けたが一対の突部を設けるだけでも良い。
【図面の簡単な説明】
【００４７】
【図１】図１は表示部材を吊り棒に引っ掛けて吊り下げた状態を示す図である。
【図２】図２は表示部材の正面図を示す。
【図３】図３は衣料用ハンガーに衣料を吊り下げた状態において表示部材との位置関係を示す図である。
【図４】図４は表示部材の一部拡大正面図を示す。
【図５】図５は表示部材の一部拡大斜視図を示す。
【図６】図６は表示部材を吊り棒に引っ掛けた状態を上方から観た状態の図である。
【図７】図７は広告パネルを取り付ける状態を示す図である。
【図８】背景技術の表示部材を示す図である。
【符号の説明】
【００４８】
１  表示部材
２  衣料用ハンガー
３  吊り棒
４  フック部
５  表示部
６  バランス部
７  大径円弧面
８  小径円弧面
１１  外れ防止部
１６  切欠き
Ｂ  衣料
Ｓ  挿入口
【図１】
2010107836.tif 000003
【図２】
2010107836.tif 000004
【図３】
2010107836.tif 000005
【図４】
2010107836.tif 000006
【図５】
2010107836.tif 000007
【図６】
2010107836.tif 000008
【図７】
2010107836.tif 000009
【図８】
2010107836.tif 000010